(57)【要約】      （修正有）【課題】集客増が容易な販売促進支援システムを提供する。【解決手段】商品・サービスを提供するサイト（以下、提供元）が、それを申し込むエンドユーザー（以下、紹介先）を紹介した者（以下、紹介元）へ渡す提供元が決めた紹介報奨特典（以下、特典）の一部を、紹介先へ贈与（以下、贈与）する基本的な手段に、特典の一部を紹介先へ贈与する額・率を紹介元が決める手段、紹介先へ贈与する額・率を紹介先がゲーム等で決める手段、又は特典が現金で提供元から紹介元へ提供される場合、紹介先のメールアドレスだけで口座振込出来るアプリサイトを介して紹介先口座へ振込む手段、紹介先が申込む商品・サービスの代金から予め贈与分を値引きする手段、紹介先が提供元に開設した口座に提供元から直接贈与分金を入金する手段、又は、特典が現金以外の物の場合、それを現金に換価する手段、又は、簡単見積もり・顧客口座情報等の入力不要等の手段、を含む。【選択図】図５
2013232164.tif 000002
【特許請求の範囲】
【請求項１】
商品・サービスを提供するサイト（以下、提供元）が、それを申し込むエンドユーザー（以下、紹介先）を紹介した者（以下、紹介元）へ渡す提供元が決めた紹介報奨特典（以下、特典）の一部を、紹介先へ贈与（以下、贈与）する手段により、集客増を容易にすることを特徴とする販売促進支援システム。
【請求項２】
前記特典の一部を紹介先へ贈与する額・率を、紹介元が決める手段を含む、請求項１に記載の販売促進支援システム。
【請求項３】
前記特典の一部を紹介先へ贈与する額・率を、紹介先がゲーム等で決める手段を含む、請求項１に記載の販売促進支援システム。
【請求項４】
前記特典が現金で提供元から紹介元へ提供される場合、紹介先のメールアドレスだけで口座振込出来るアプリサイト（以下、振込アプリサーバー）を介して、紹介先口座へ振込む手段を含む、請求項１に記載の販売促進支援システム。
【請求項５】
前記特典が現金で提供される場合、紹介先が申込む商品・サービスの代金から、予め贈与分を値引きする手段を含む、請求項１に記載の販売促進支援システム。
【請求項６】
前記特典が現金で提供される場合、紹介先が提供元に開設した口座に、提供元から直接贈与分金を入金する手段を含む、請求項１に記載の販売促進支援システム。
【請求項７】
前記特典が現金で提供される場合、紹介先の口座等に、提供元から直接贈与分金をキャッシュバックする手段を含む、請求項１に記載の販売促進支援システム。
【請求項８】
前記商品・サービス等申込等の特典付与条件（以下、特典条件）が、不用品買取サービスを提供するサイトの場合、買取代金に贈与金分を加算して、紹介先の口座等に、振込む手段を含む、請求項１に記載の販売促進支援システム。
【請求項９】
前記特典が、ポイント・商品券・景品等の現金以外の物の場合、それを現金に換価する手段を含む、請求項１に記載の販売促進支援システム。
【請求項１０】
前記贈与金を、振込アプリサーバーを介して、紹介先口座へ振込む手段を含む、請求項１に記載の販売促進支援システム。
【請求項１１】
前記贈与金を、アフィリエイトサーバー（以下、ＡＳＰ）を介して、紹介先口座へ振込む手段を含む、請求項１に記載の販売促進支援システム。
【請求項１２】
前記同一の紹介先へ贈与する贈与金を、ある程度貯めてから、紹介先口座へ振込む手段を含む、請求項１に記載の販売促進支援システム。
【請求項１３】
商品・サービスを提供するサイト（以下、提供元）が、それを申し込むエンドユーザー（以下、紹介先）を紹介した者（以下、紹介元）へ渡す提供元が決めた紹介報奨特典（以下、特典）の一部を、紹介先へ贈与（以下、贈与）する手段により、集客増を容易にすることを特徴とする販売促進支援方法。
【請求項１４】
書籍裁断サービスを提供するサイトに於いて、裁断依頼する全書籍の厚さの合計だけで一目で解る表を表示することにより、裁断料金の見積を、簡素化して、それを申し込むエンドユーザーの集客増を容易にすることを特徴とする販売促進支援システム。
【請求項１５】
前記裁断依頼する全書籍の厚さの合計をユーザーがＨＰ上で入力するだけで裁断料金を自動で計算・表示するアプリを介して表示することにより、裁断料金の見積を、簡素化して、それを申し込むエンドユーザーの集客増を容易にすることを特徴とする手段を含む、請求項１４に記載の販売促進支援システム。
【請求項１６】
前記書籍裁断サービスを提供するサイトの書籍のソフトカバー（以下、カバー）の裁断処理方法に於いて、書籍本体に通常に被せたまま綴じ側のみ本体と同時に裁断するのでなく、カバー部のみの両端を裁断する手順と、その後綴じ部反対側にカバーと本体を揃える手順と、綴じ部側をまとめて裁断する手順からなる、カバーの綴じ部側のみの損失を容易に防止することを特徴とする手段を含む、請求項１４に記載の販売促進支援方法。
【請求項１７】
前記書籍裁断サービスを提供するサイトの書籍のソフトカバー（以下、カバー）の裁断処理方法に於いて、書籍本体に通常に被せたまま綴じ側のみ本体と同時に裁断するのでなく、カバー部のみの両端を裁断する手順と、その後綴じ部反対側にカバーと本体を揃える手順と、綴じ部側をまとめて裁断する手順からなる、カバーの綴じ部側のみの損失を容易に防止することを特徴とする手段を含む、請求項１４に記載の販売促進支援装置。
【請求項１８】
前記書籍裁断サービスを提供するサイトの書籍のソフトカバー（以下、カバー）の裁断処理方法に於いて、書籍本体に通常に被せたまま綴じ側のみ本体と同時に裁断するのでなく、カバー部のみの両端を裁断する手順と、その後綴じ部反対側にカバーと本体を揃える手順と、綴じ部側をまとめて裁断する手順からなる、カバーの綴じ部側のみの損失を容易に防止することを特徴とする手段を含む、請求項１４に記載の販売促進支援作用。
【請求項１９】
不用品買取サービスを提供するサイトに於いて、買取代金を振込アプリサーバーを介して、ユーザー口座へ振込む手段で集客増を容易にすることを特徴とする販売促進支援システム。
【請求項２０】
不用品買取サービスを提供するサイトに於いて、ユーザーが不用品を発送する際に梱包外部の見える所にユーザーのメールアドレス・氏名を明記してもらう手順と、そのメールアドレスへ送信・返信で本人確認する手順と、記載ない場合又は本人確認できない場合に廃棄又は警察に届け出をする手順と、それをＨＰ上に明記する手順と、からなる不審物を送りつけることを防止する事を容易にすることを特徴とする販売促進支援システム。
【請求項２１】
前記裁断依頼する全書籍の厚さの合計を一定の厚さで割った数と、全冊数のどちらか大きいほうに、定額を掛けた額が、見積額になることを特徴とする手段を含む、請求項１４に記載の販売促進支援システム。
【発明の詳細な説明】
【技術分野】
【０００１】
本発明は、顧客の利益増・簡単見積もり・顧客口座情報等入力不要等で集客増が容易な販売促進支援システムに関するものである。
【背景技術】
【０００２】
従来、商品・サービスを提供するサイト（以下、提供元）が、それを申し込むエンドユーザー（以下、紹介先）を紹介した者（以下、紹介元）へ渡す提供元が決めた紹介報奨特典（以下、特典）の一部を、紹介先へ贈与（以下、贈与）する基本的な手段に、
特典の一部を紹介先へ贈与する額・率を、紹介元が決める手段、
又は特典の一部を紹介先へ贈与する額・率を、紹介先がゲーム等で決める手段、
又は特典が現金で提供元から紹介元へ提供される場合、紹介先のメールアドレスだけで口座振込出来るアプリサイト（以下、振込アプリサーバー）を介して、紹介先口座へ振込む手段
又は、特典が現金で提供される場合、紹介先が申込む商品・サービスの代金から、予め贈与分を値引きする手段
又は、特典が現金で提供される場合、紹介先が提供元に開設した口座に、提供元から直接贈与分金を入金する手段
又は、特典が、ポイント・商品券・景品等の現金以外の物の場合、それを現金に換価する手段
又は、簡単見積もり・顧客口座情報等入力不要等の手段、を含むことにより、集客増を容易にすることを最も主要な特徴とするサイトがなかった。
【０００３】
又、不用品買取サービスを提供するサイトにおいて、入力フォームに入力する個人情報の内、住所・氏名・電話番号・振込み先金融機関口座番号まで入力する必要があり、個人情報の漏洩の懸念があった。
又、商品・サービスを提供するサイトの見積等も面倒だった。
【発明の概要】
【発明が解決しようとする課題】
【０００４】
商品・サービスを提供するサイト（以下、提供元）が、それを申し込むエンドユーザー（以下、紹介先）を紹介した者（以下、紹介元）へ渡す提供元が決めた紹介報奨特典（以下、特典）の一部を、紹介先へ贈与（以下、贈与）する基本的な手段に、
特典の一部を紹介先へ贈与する額・率を、紹介元が決める手段、
又は特典の一部を紹介先へ贈与する額・率を、紹介先がゲーム等で決める手段、
又は特典が現金で提供元から紹介元へ提供される場合、紹介先のメールアドレスだけで口座振込出来るアプリサイト（以下、振込アプリサーバー）を介して、紹介先口座へ振込む手段
又は、特典が現金で提供される場合、紹介先が申込む商品・サービスの代金から、予め贈与分を値引きする手段
又は、特典が現金で提供される場合、紹介先が提供元に開設した口座に、提供元から直接贈与分金を入金する手段
又は、特典が、ポイント・商品券・景品等の現金以外の物の場合、それを現金に換価する手段
又は、簡単見積もり・顧客口座情報等入力不要等の手段、を含むことにより、集客増を容易にすることを最も主要な特徴とするサイトの構築が課題である。
【課題を解決するための手段】
【０００５】
本発明は、商品・サービスを提供するサイト（以下、提供元）が、それを申し込むエンドユーザー（以下、紹介先）を紹介した者（以下、紹介元）へ渡す提供元が決めた紹介報奨特典（以下、特典）の一部を、紹介先へ贈与（以下、贈与）する基本的な手段に、
特典の一部を紹介先へ贈与する額・率を、紹介元が決める手段、
又は特典の一部を紹介先へ贈与する額・率を、紹介先がゲーム等で決める手段、
又は特典が現金で提供元から紹介元へ提供される場合、紹介先のメールアドレスだけで口座振込出来るアプリサイト（以下、振込アプリサーバー）を介して、紹介先口座へ振込む手段
又は、特典が現金で提供される場合、紹介先が申込む商品・サービスの代金から、予め贈与分を値引きする手段
又は、特典が現金で提供される場合、紹介先が提供元に開設した口座に、提供元から直接贈与分金を入金する手段
又は、特典が、ポイント・商品券・景品等の現金以外の物の場合、それを現金に換価する手段
又は、簡単見積もり・顧客口座情報等入力不要等の手段、を含むことにより、集客増を容易にすることを最も主要な特徴とする。
尚、紹介先が行い、提供元が特典を提供する特典付与条件としては、以下の様なものがある。
クリックだけ・見積だけ・会員登録だけ・口座開設だけ・入金だけ・商品購入・サービス申込・又は以上の組合せ。
【発明の効果】
【０００６】
本発明の販売促進支援システムは商品・サービスを提供するサイト（以下、提供元）が、それを申し込むエンドユーザー（以下、紹介先）を紹介した者（以下、紹介元）へ渡す提供元が決めた紹介報奨特典（以下、特典）の一部を、紹介先へ贈与（以下、贈与）する基本的な手段に、
特典の一部を紹介先へ贈与する額・率を、紹介元が決める手段、
又は特典の一部を紹介先へ贈与する額・率を、紹介先がゲーム等で決める手段により興味深く、
【０００７】
又、特典が現金で提供元から紹介元へ提供される場合、紹介先のメールアドレスだけで口座振込出来るアプリサイト（以下、振込アプリサーバー）を介して、紹介先口座へ振込む手段により口座・住所等個人情報入力不用
【０００８】
又、特典が現金で提供される場合、紹介先が申込む商品・サービスの代金から、予め贈与分を値引きする手段、
又は、特典が現金で提供される場合、紹介先が提供元に開設した口座に、提供元から直接贈与分金を入金する手段
又は、特典が、ポイント・商品券・景品等の現金以外の物の場合、それを現金に換価する手段
又は、簡単見積もり・顧客口座情報等入力不要等の手段、を含むことにより、ユーザーの余計な手間も省け、個人情報の漏洩の危険も最小限に抑えられ、容易に集客増のサイトの構築が出来るという利点がある。
【図面の簡単な説明】
【０００９】
【図１】図１は本発明の販売促進支援システムのシステム構成図の実施方法を示した説明図である。（実施例１）
【図２】図２は本発明の販売促進支援システムのブロック図の実施方法を示した説明図である。（実施例２）
【図３】図３は本発明の販売促進支援システムの図３ブロック図の符号の説明図である。
【図４】図４は本発明の販売促進支援システムのシーケンス図の実施方法を示した説明図である。（実施例３）
【図５】図５は本発明の販売促進支援システムのシーケンス図の実施方法を示した説明図である。（実施例４）
【図６】図６は本発明の販売促進支援システムのシーケンス図の実施方法を示した説明図である。（実施例５）
【図７】図７は本発明の販売促進支援システムの特典提供元ページのＨＰ画面の実施方法を示した説明図である。（実施例６）
【図８】図８は本発明の販売促進支援システムの紹介元の特典分配条件提示・入力フォームページのＨＰ画面の実施方法を示した説明図である。（実施例７）
【図９】図９は本発明の販売促進支援システムの会員ログインページのＨＰ画面の実施方法を示した説明図である。（実施例８）
【図１０】図１０は本発明の販売促進支援システムの振込アプリページのＨＰ画面の実施方法を示した説明図である。（実施例９）
【図１１】図１１は本発明の販売促進支援システムの振込アプリページのＨＰ画面の実施方法を示した説明図である。（実施例１０）
【図１２】図１２は本発明の販売促進支援システムの会員ログインページのＨＰ画面の実施方法を示した説明図である。（実施例１１）
【図１３】図１３は本発明の販売促進支援システムの顧客データの実施方法を示した説明図である。（実施例１２）
【図１４】図１４は本発明の販売促進支援システムのシーケンス図の実施方法を示した説明図である。（実施例1３）
【図１５】図１５は本発明の販売促進支援システムのＨＰ画面の実施方法を示した説明図である。（実施例１４）
【図１６】図１６は本発明の販売促進支援システムの符号説明図・裁断手順図１の実施方法を示した説明図である。（実施例1５）
【図１７】図１７は本発明の販売促進支援システムの裁断手順図２の実施方法を示した説明図である。（実施例1６）
【図１８】図１８は本発明の販売促進支援システムのシーケンス図の実施方法を示した説明図である。（実施例1７）
【図１９】図１９は本発明の販売促進支援システムのＨＰ画面の実施方法を示した説明図である。（実施例１８）
【発明を実施するための形態】
【００１０】
各図参照
【産業上の利用可能性】
【００１１】
顧客の利益増・簡単見積もり・顧客口座情報等入力不要等で集客増が容易なユーザー紹介サイト構築にも適用できる。
【符号の説明】
【００１２】
各図参照
【図１】
2013232164.tif 000003
【図２】
2013232164.tif 000004
【図３】
2013232164.tif 000005
【図４】
2013232164.tif 000006
【図５】
2013232164.tif 000007
【図６】
2013232164.tif 000008
【図７】
2013232164.tif 000009
【図８】
2013232164.tif 000010
【図９】
2013232164.tif 000011
【図１０】
2013232164.tif 000012
【図１１】
2013232164.tif 000013
【図１２】
2013232164.tif 000014
【図１３】
2013232164.tif 000015
【図１４】
2013232164.tif 000016
【図１５】
2013232164.tif 000017
【図１６】
2013232164.tif 000018
【図１７】
2013232164.tif 000019
【図１８】
2013232164.tif 000020
【図１９】
2013232164.tif 000021